(57)【要約】【課題】携帯情報端末の電力消費を抑えつつ、外部から携帯情報端末に送信されるコミュニケーションに関連する情報を携帯情報端末に適切に着信させることが可能な起動装置を提供する。【解決手段】携帯情報端末の端末側接続端子に接続される出力端子１０１と、コミュニケーションに関連する情報である携帯情報端末を送信先とするコミュニケーション情報についての、着信に関する情報である着信情報を受信する着信受信部１０２と、着信受信部１０２が着信情報を受信した場合に、出力端子１０１と接続された端末側接続端子を介して、端末側接続端子を有する携帯情報端末に起動指示を出力する起動指示出力部１０３と、を備えた。【選択図】図１
2015100076.tif 000002
【特許請求の範囲】
【請求項１】
携帯情報端末の端末側接続端子に接続される出力端子と、
コミュニケーションに関連する情報である前記携帯情報端末を送信先とするコミュニケーション情報についての、着信に関する情報である着信情報を受信する着信受信部と、
前記着信受信部が着信情報を受信した場合に、前記出力端子と接続された端末側接続端子を介して、当該端末側接続端子を有する携帯情報端末に起動指示を出力する起動指示出力部と、を備えた起動装置。
【請求項２】
前記着信受信部が、前記起動指示出力部が起動指示を出力した後、着信情報の受信を行わない請求項１記載の起動装置。
【請求項３】
前記出力端子と電気的に接続された入力端子を更に備えた請求項１または請求項２記載の起動装置。
【請求項４】
前記端末側接続端子は、イヤホンジャックであり、
前記出力端子は、イヤホンプラグである請求項１から請求項３いずれか一項記載の起動装置。
【請求項５】
前記端末側接続端子は、充電用のジャックであり、
前記出力端子は、充電用のプラグである請求項１から請求項３いずれか一項記載の起動装置。
【発明の詳細な説明】
【技術分野】
【０００１】
本発明は、携帯情報端末に起動指示を出力する装置に関するものである。
【背景技術】
【０００２】
従来の携帯情報端末においては、ユーザが操作を行っていない際の消費電力を削減するために、操作されていない時間が予め指定された時間を超えた場合や、ユーザの特定の操作等に応じて、携帯情報端末の電源がオフになったり、省電力状態、いわゆるスリープになるものが知られていた。このような状態になった携帯情報端末を、ユーザが操作可能な状態にするためには、例えば、電源をオンにしたり、省電力状態を解除したりする必要があった。このような従来の技術として、筐体の異なる面に配置されたタッチパネル及び省電力状態解除ボタンを備え、タッチパネルと省電力状態解除ボタンとが同時にタッチされているときに、省電力状態が解除される携帯情報端末が知られていた（例えば、特許文献１参照）。
【先行技術文献】
【特許文献】
【０００３】
【特許文献１】特開２０１３−１６１２１２号公報（第１頁、第１図等）
【発明の概要】
【発明が解決しようとする課題】
【０００４】
しかしながら、従来においては、ユーザが操作を行っていない場合における携帯情報端末の電力消費を抑えつつ、外部から携帯情報端末に送信されるコミュニケーションに関連する情報を、適切に着信させることができないという課題があった。
【０００５】
例えば、従来においては、携帯情報端末の電源がオフである場合、携帯情報端末が、外部から送信される通話のための呼出や、メール等を着信を確認することができなかった。また、例えば、携帯情報端末が省電力状態である場合、外部から送信される通話のための呼出や、メール等の着信を確認することは可能であるが、着信の確認のための電力を常時消費することとなるため、電力消費を抑えることは困難であった。
【０００６】
本発明は上記のような課題を解消するためになされたものであり、携帯情報端末の電力消費を抑えつつ、外部から携帯情報端末に送信されるコミュニケーションに関連する情報を、携帯情報端末に適切に着信させることが可能な起動装置を提供することを目的とする。
【課題を解決するための手段】
【０００７】
本発明の起動装置は、携帯情報端末の端末側接続端子に接続される出力端子と、コミュニケーションに関連する情報である携帯情報端末を送信先とするコミュニケーション情報についての、着信に関する情報である着信情報を受信する着信受信部と、着信受信部が着信情報を受信した場合に、出力端子と接続された端末側接続端子を介して、端末側接続端子を有する携帯情報端末に起動指示を出力する起動指示出力部と、を備えた起動装置である。
【０００８】
かかる構成により、起動装置が着信情報を受信した場合に、携帯情報端末を起動させることができ、携帯情報端末の電力消費を抑えつつ、外部から携帯情報端末に送信されるコミュニケーションに関連する情報を携帯情報端末に適切に着信させることができる。
【０００９】
また、本発明の起動装置は、前記起動装置において、起動指示出力部が起動指示を出力した後、着信受信部が着信情報の受信を行わないようにした起動装置である。
【００１０】
かかる構成により、携帯情報端末を起動させた後は、起動装置が着信情報を受信待ちする処理を行わないようにして、起動装置の電力消費を抑えることができる。
【００１１】
また、本発明の起動装置は、前記起動装置において、出力端子と電気的に接続された入力端子を更に備えた起動装置である。
【００１２】
かかる構成により、例えば、携帯情報端末の端末側接続端子に接続する必要がある端子等を入力端子に接続することにより、起動装置を携帯情報端末から取り外すことなく、携帯情報端末の端末接続端子を容易に利用することができ、利便性を向上させることができる。
【００１３】
また、本発明の起動装置は、前記起動装置において、端末側接続端子は、イヤホンジャックであり、出力端子は、イヤホンプラグである起動装置である。
【００１４】
かかる構成により、起動指示を、イヤホンジャックを介して携帯情報端末に出力することができ、携帯情報端末の電力消費を抑えつつ、外部から携帯情報端末に送信されるコミュニケーションに関連する情報を携帯情報端末に適切に着信させることができる。
【００１５】
また、本発明の起動装置は、前記起動装置において、端末側接続端子は、充電用のジャックであり、出力端子は、充電用のプラグである起動装置である。
【００１６】
かかる構成により、起動指示を、充電用のジャックを介して携帯情報端末に出力することができ、携帯情報端末の電力消費を抑えつつ、外部から携帯情報端末に送信されるコミュニケーションに関連する情報を携帯情報端末に適切に着信させることができる。
【発明の効果】
【００１７】
本発明による起動装置によれば、携帯情報端末の電力消費を抑えつつ、外部から携帯情報端末に送信されるコミュニケーションに関連する情報を携帯情報端末に適切に着信させることが可能な起動装置を提供することができる。
【図面の簡単な説明】
【００１８】
【図１】本発明の実施の形態における起動装置と、携帯情報端末とを示すブロック図
【図２】同起動装置と、この起動装置に接続される携帯情報端末の一例の外観を示す図（図２（ａ））、及び携帯情報端末と接続された同起動装置の一例を説明するための図（図２（ｂ））
【図３】同起動装置の変形例と、この起動装置に接続される携帯情報端末の一例の外観を示す図（図３（ａ））、及び携帯情報端末と接続された同起動装置の一例を説明するための図（図３（ｂ））
【発明を実施するための形態】
【００１９】
以下、起動装置の実施形態について図面を参照して説明する。なお、実施の形態において同じ符号を付した構成要素は同様の動作を行うので、再度の説明を省略する場合がある。
【００２０】
（実施の形態）
図１は、本実施の形態における起動装置と、この起動装置が取り付けられた携帯情報端末２とのブロック図である。
【００２１】
起動装置１は、出力端子１０１、着信受信部１０２、起動指示出力部１０３を備える。
【００２２】
携帯情報端末２は、端末側接続端子２００、起動指示受付部２０１、起動部２０２、処理実行部２０３、操作受付部２０４、及び出力部２０５を備える。
【００２３】
起動装置１は、内部に電池等のバッテリ（図示せず）を有しており、このバッテリにより駆動する。起動装置１は、電源を投入するためのスイッチ（図示せず）を有していてもよい。
【００２４】
出力端子１０１は、携帯情報端末２の端末側接続端子２００に接続される端子である。出力端子１０１は、後述する起動指示を出力するために用いられる端子である。例えば、起動装置１は、出力端子１０１により、携帯情報端末２に対して着脱可能に接続される。着脱可能な接続とは、例えば、着脱可能なコネクタや着脱可能なコネクタを有するケーブル等を用いた接続である。ここでの接続は、通常、電気的な接続及び物理的な接続である。出力端子１０１と端末側接続端子２００との接続は、着脱可能なものであれば、どのような形態の接続であってもよい。出力端子１０１は、例えば、端末側接続端子２００とコード（図示せず）等を介して接続されてもよいし、直接接続されてもよい。
【００２５】
出力端子１０１が接続される携帯情報端末２の端末側接続端子２００が、どのような仕様や用途の端子であるかは問わない。端末側接続端子２００は、例えば、外部電源の入力端子、充電用端子、イヤホン端子、ライン入力端子、ライン出力端子、ＵＳＢ端子等のシリアルバスの端子、パラレルバスの端子、情報の同期用の端子等である。出力端子１０１は、例えば、この出力端子１０１が接続される端末側接続端子の規格に適合した端子である。
【００２６】
出力端子１０１の形状等は問わない。出力端子１０１は、例えば、プラグ等の凸型の端子であってもよく、ジャックやソケット等の凹型の端子であってもよい。出力端子１０１は、例えば、この出力端子１０１が接続される携帯情報端末２の一の端末側接続端子２００に対応した形状を有している。例えば、出力端子１０１は、この出力端子が接続される携帯情報端末２の一の端末側接続端子に対応した形状を有するコネクタである。端末側接続端子に対応した形状とは、例えば、端末側接続端子に嵌合した形状である。
【００２７】
出力端子１０１は、例えば、多くの携帯情報端末２が有している端末側接続端子２００であるイヤホンジャックに対応した、イヤホンプラグ、例えば、３極のステレオミニプラグ等である。出力端子１０１は、制御用の情報、例えば、後述する起動指示を出力する際に利用される端子や、マイク用の端子をさらに備えたイヤホンプラグ、例えば４極のステレオミニプラグ等であってもよい。例えば、出力端子１０１が、イヤホンプラグである場合、このプラグを、携帯情報端末２のイヤホンジャックに挿入することで、起動装置１を、携帯情報端末２に直接、着脱可能に接続することができる。
【００２８】
また、出力端子１０１は、携帯情報端末２の充電に利用される充電用のジャックと接続される充電用のプラグであってもよい。ただし、ここでの充電用のプラグとは、例えば、形状が、充電用のジャックに挿入可能な形状のプラグという意味であり、実際に充電を行うために電力を供給するプラグでなくてよい。
【００２９】
また、出力端子１０１は、携帯情報端末２に対して情報の入出力を行うために利用されるデータ入出力用のジャックと接続されるデータ入出力用のプラグであってもよい。データ入力用のジャック及びプラグは、データ同期用のジャック及びプラグであってもよい。
【００３０】
着信受信部１０２は、携帯情報端末２を送信先とするコミュニケーション情報についての着信情報を受信する。ここでの携帯情報端末２とは、起動装置１と接続された携帯情報端末２であり、具体的には、出力端子１０１と接続された端末側接続端子２００を有する携帯情報端末２である。携帯情報端末２を送信先とするコミュニケーション情報とは、例えば、携帯情報端末２を送信先として送信されるコミュニケーション情報や、携帯情報端末２を送信先として送信されたコミュニケーション情報である。
【００３１】
コミュニケーション情報とは、コミュニケーションに関連する情報である。ここでのコミュニケーションは、例えば、人間の間で行われるコミュニケーションである。コミュニケーション情報は、例えば、知覚や、感情、思考等を伝達するための、音声や、画像や、文字等の１以上を有する情報である。例えば、例えば、コミュニケーション情報は、例えば、電話等の音声通話の情報であってもよく、電子メール（以下、単にメールと称す）や、ショートメッセージやチャット等の文字の情報であってもよい。また、テレビ電話やビデオ通話等に用いられる音声と画像とを有する情報であってもよい。例えば、携帯情報端末２を送信先として送信されたコミュニケーション情報とは、携帯情報端末２を宛先として送信されたメールである。また、携帯情報端末２が携帯電話の機能を有する場合、例えば、携帯情報端末２を送信先として送信されるコミュニケーション情報とは、携帯情報端末２を宛先として送信される電話の音声情報や画像情報であってもよい。
【００３２】
着信情報は、コミュニケーション情報の着信に関する情報である。着信情報は、例えば、携帯情報端末２に送信されたコミュニケーション情報を着信したことを示す情報である。着信情報は、例えば、携帯情報端末２に対して着信があったことを示す情報である。着信情報は、例えば、携帯情報端末２に対して送信されたメールやショートメッセージ等のコミュニケーション情報自身であってもよい。着信情報は、例えば、メールやショートメッセージ等のコミュニケーション情報を受信するサーバ（図示せず）が、携帯情報端末２を送信先（例えば、宛先）としたこれらのコミュニケーション情報を着信したことを示すための情報であってもよい。
【００３３】
また、着信情報は、例えば、携帯情報端末２に送信されようとしているコミュニケーション情報の受信を要求する情報であってもよい。着信情報は、例えば、携帯情報端末２に対してコミュニケーション情報の受信を要求する情報の着信があったことを示す情報である。着信情報は、例えば、携帯電話の基地局（図示せず）や、ビデオ通話用のサーバ等（図示せず）が、携帯情報端末２を送信先（例えば、通話先）として送信される電話やビデオ通話等のコミュニケーション情報の受信を携帯情報端末２に要求する情報や、電話やビデオ通話等のコミュニケーション情報を用いた通信を開始するための応答を要求する情報等であってもよい。着信情報は、電話やビデオ通話を開始するための応答を携帯情報端末２に要求するための情報であってもよい。着信情報は、例えば、携帯情報端末２に、電話やビデオ通話の呼出音の出力や、呼出のための振動や、呼出のための画像表示等を行わせるための情報である呼出情報であってもよい。呼出情報は、例えば、電話の発信元の電話番号等を有していてもよい。呼出情報は、例えば、通常の電話の呼出に利用される情報として公知であるので、ここでは詳細な説明は省略する。
【００３４】
着信受信部１０２は、どのように、起動装置１と接続された携帯情報端末２を送信先とするコミュニケーション情報についての着信情報を受信してもよい。
【００３５】
以下、コミュニケーション情報がメールであり、着信情報がメール自身、あるいはその複製である場合について、着信受信部１０２が、起動装置１と接続された携帯情報端末２を送信先とするコミュニケーション情報についての着信情報を受信する仕組みの一例を説明する。例えば、携帯情報端末２のメールアドレスに対して送信されたメールを受信するメールサーバ（図示せず）が、受信したメールを送信要求の有無にかかわらず携帯情報端末２等に送信するメールサーバ、いわゆるプッシュ送信するプッシュ型のメールサーバであるとする。この場合、例えば、メールサーバが、携帯情報端末２のメールアドレスに対して送信されたメールを、携帯情報端末２に送信するようにするとともに、このメールの複製を、起動装置１に対しても送信するように予めメールサーバに設定しておくようにすることで、着信受信部１０２は、携帯情報端末２に送信されたメールに関する着信情報であるメールの複製を受信することが可能となる。この場合、起動装置１のメールアドレスは、任意のメールアドレスに予め設定しておけばよい。
【００３６】
また、起動装置１のメールアドレスを、起動装置１が取り付けられた携帯情報端末２のメールアドレスと同じメールアドレスとし、携帯情報端末２のメールアドレスに対して送信されたメールをメールサーバが受信した場合、このメールサーバが受信したメールを、起動装置１と携帯情報端末２とにプッシュ送信するようにすればよい。これにより、起動装置１は、携帯情報端末２に送信されたメールについての着信情報であるメール自身、あるいはその複製を受信することができる。この場合、受信したメールを、メールサーバに予め指定された期間だけ保存しておくことで、携帯情報端末２が起動しておらず、メールを受信できない状態にあったとしても、携帯情報端末２が起動した時点で、メールサーバに未受信のメールの送信を要求することで、携帯情報端末２は送信されたメールを受信することができる。なお、この場合、メールサーバが受信したメールは、必ずしもプッシュ送信する必要はなく、起動装置１や携帯情報端末２が、それぞれ、メールサーバに対して、予め指定されたタイミングやトリガー等に応じて、未受信のメールの送信を要求することで、それぞれが、携帯情報端末２に送信されたメールをメールサーバから受信するようにしてもよい。起動装置１は、携帯情報端末２に対して送信されたメールであって、起動装置１が未受信であるメールを要求する情報を、メールサーバに対して送信する送信部（図示せず）やアンテナ（図示せず）等を有していてもよい。
【００３７】
なお、かかることは、ショートメッセージ等においても同様である。
【００３８】
また、ここでは、メール自身を、着信情報とした場合について説明したが、携帯情報端末２に対して送信された新たなメールがメールサーバに格納されているか（メールサーバに届いているか）否かを示す情報、例えば、判断結果を示す情報を着信情報として用いてもよい。
【００３９】
また、起動装置１と接続された携帯情報端末２が携帯電話の機能を有しており、コミュニケーション情報が電話であり、着信情報が電話の呼出情報である場合の、着信受信部１０２が、携帯情報端末２を送信先とするコミュニケーション情報についての着信情報を受信する仕組みの一例について、以下に説明する。
【００４０】
例えば、携帯情報端末２の電話番号と同じ電話番号を起動装置１に設定しておく。携帯情報端末２に設定された電話番号に対する接続を要求する情報を電話の基地局（図示せず）が受信した場合、基地局は、通信圏内において、この電話番号に対応する通信が可能な状態の携帯情報端末２や起動装置１等の機器を検出し、検出した機器に対して、呼出情報を送信する。基地局は、この処理を、呼出信号に対して携帯情報端末２が応答するか、接続を要求する情報の送信を終了する指示を受け付けるまで繰り返し実行する。これにより、基地局の通信圏内にある起動装置１は、携帯情報端末２を送信先とするコミュニケーション情報である電話に関する着信情報である呼出情報を受信する。また、起動しておらず、呼出信号を受信することができない携帯情報端末２については、通信圏内において検出することはできないため、基地局は呼出信号を送信しないが、基地局が携帯情報端末２等を繰り返し検出しているため、後述する起動指示により携帯情報端末２が起動した場合、上述した電話番号に対応する携帯情報端末２を検出して、基地局がこの携帯情報端末２に対して呼出情報を出力する。
【００４１】
なお、起動装置１に対して、携帯情報端末２の電話番号に対応づけられた、携帯情報端末２の電話番号とは異なる電話番号を設定しておくようにし、基地局は、接続を要求する情報を受け付けた場合に、携帯情報端末２とともに、この携帯情報端末２の電話番号と対応づけられた電話番号が示す起動装置１に対しても呼出情報を送信するようにしてもよい。
【００４２】
なお、ここでの基地局は、交換機等と考えてもよい。
【００４３】
また、上記の仕組みは、ビデオ通話等においても同様である。この場合、電話番号の代わりに、ユーザＩＤ等を用い、ビデオ通話用のサーバ等に対して、上記の基地局や交換機と同様の処理を行わせるようにすればよい。
【００４４】
なお、起動装置１は、着信受信部１０２が着信情報を受信するために用いられるアンテナ（図示せず）等を有していてもよい。
【００４５】
着信受信部１０２は、通常、無線の通信手段で実現されるが、放送を受信する手段で実現されても良い。着信受信部１０２は、通信デバイスを含むと考えても、含まないと考えても良い。
【００４６】
起動指示出力部１０３は、着信受信部１０２が着信情報を受信した場合に、出力端子１０１と接続された端末側接続端子２００を介して、端末側接続端子２００を有する携帯情報端末２に起動指示を出力する。具体的には、起動指示出力部１０３は、着信受信部１０２が着信情報を受信した場合に、出力端子１０１を介して、携帯情報端末２に起動指示を出力する。携帯情報端末２は、出力端子１０１と接続された端末側接続端子２００を介して起動指示出力部１０３が出力する起動指示を受け付ける。例えば、起動指示出力部１０３は、着信受信部１０２がメールを受信した場合や、電話の呼出情報を受信した場合に、起動指示を出力する。
【００４７】
起動指示とは、出力端子１０１により接続された携帯情報端末２を起動する指示である。起動指示は、コマンドや予め指定された情報等であってもよいし、単なる電気信号であってもよい。起動指示は、例えば、携帯情報端末２に対し電源を投入（オン）する指示である。ただし、ここでの携帯情報端末２の起動前の状態、例えば、電源が投入されていない状態においては、電話やメール等のコミュニケーション情報の受信を行うことができない状態であるとする。つまり、起動指示は、携帯情報端末２を、コミュニケーション情報の受信が可能な状態に移行させる指示と考えてもよい。なお、例えば、携帯情報端末２のいわゆる待機状態や、休止状態、スリープ状態が、コミュニケーション情報の受信を行うことができない状態である場合、起動指示は、携帯情報端末２を待機状態や、休止状態、スリープ状態から解除させる指示（復帰させる指示）を含む概念と考えてもよい。起動指示は、携帯情報端末２を起動させるためのコマンド等であってもよいし、起動を指示するための単なる電気信号であってもよい。
【００４８】
待機状態とは、例えば、キーやボタンやタッチパネル等のユーザが操作する入力デバイスや、加速度センサ、ジャイロセンサ、ＧＰＳ通信モジュール、モニタ等の、携帯情報端末２が有している電子デバイスを停止した状態や、停止したモードである。ここでの停止とは、電力を消費しない状態とすることであり、電源のオフ等と考えてもよい。休止状態や、スリープ状態についても同様である。ただし、待機状態と、休止状態と、スリープ状態とにおいて、停止される機能やデバイスが適宜異なるようにしてもよい。
【００４９】
なお、起動指示出力部１０３が起動指示を出力した後、例えば出力した時点で、着信受信部１０２が着信情報の受信を行わないようにしてもよい。このようにすることで、携帯情報端末２を起動させた後は、起動装置１が着信情報を受信待ちする処理を行わないようにして、起動装置の電力消費を抑えることができる。また、携帯情報端末２の電源がオフになった場合に、着信受信部１０２が着信情報の受信を開始するようにしても良い。例えば、携帯情報端末２の電源がオフとなった時点で、携帯情報端末２が電源がオフになったことを示す情報を起動装置１に出力し、起動装置１の着信受信部１０２が、この情報に応じて、着信情報を受信する処理を開始するようにしてもよい。携帯情報端末２の電源がオフであるか否かは、起動中の携帯情報端末２の端末側接続端子２００に流れる電流の有無等により判断しても良い。
【００５０】
また、起動指示出力部１０３は、既に携帯情報端末２が起動している場合、起動指示を携帯情報端末２に送信しないようにしてもよい。例えば、出力端子１０１を介して、携帯情報端末２から、携帯情報端末２が起動していることを示す予め指定された情報、あるいは任意の情報が出力されている場合に、起動指示出力部１０３が、携帯情報端末２が起動していると判断し、出力されていない場合、起動していないと判断してもよい。あるいは、携帯情報端末２が起動している場合、例えば、着信情報を受信する処理等を行わないようにしてもよい。
【００５１】
また、携帯情報端末２が起動している間は、起動装置１の電源がオフとなるようにしてもよい。例えば、起動指示出力部１０３が起動指示を出力した後に、起動装置１等が、自装置の電源をオフするようにしても良い。起動装置１の電源がオフの場合、着信受信部１０２が着信情報の受信を行えないため、起動装置１の電源オフは、着信受信部１０２が着信情報の受信処理を行わないようにすることを一態様と考えてもよい。また、例えば、携帯情報端末２に電源が投入された時点で、起動装置１に対して、端末側接続端子２００と出力端子１０１とを介して電源をオフする指示が送信されるようにし、この指示を受けた場合に、起動装置１の電源がオフされるようにしてもよい。
【００５２】
また、例えば、起動装置１の電源がオフになっている場合、携帯情報端末２の電源がオフとなった時点で、起動装置１の電源が投入され、着信受信部１０２が着信情報を受信する処理、例えば、受信を待ち受ける処理を開始するようにしてもよい。携帯情報端末２の電源がオフであるか否かは、例えば、起動中の携帯情報端末２の端末側接続端子２００に流れる電流の有無等により判断しても良い。また、例えば、携帯情報端末２の電源がオフされる際に、携帯情報端末２の電源がオフされることを示す情報を携帯情報端末２が起動装置１に送信することにより、携帯情報端末２の電源オフを携帯情報端末２に通知するようにしても良い。
【００５３】
また、起動指示出力部１０３が起動指示を出力した場合において、携帯情報端末２が既に起動している場合、携帯情報端末２が、この起動指示を破棄するようにしたり、この起動指示を無視したりするようにしてもよい。
【００５４】
携帯情報端末２は、例えば、電話や、メール等の１以上のコミュニケーション情報を受信可能な装置である。携帯情報端末２は、例えば、いわゆるスマートフォン等の多機能携帯電話や、携帯電話、ＰＤＡ（Ｐｅｒｓｏｎａｌ  Ｄｉｇｉｔａｌ  Ａｓｓｉｓｔａｎｔ）、タブレット型端末、電子手帳、電子ブックリーダ、携帯ゲーム機等である。携帯情報端末２は、起動装置１を着脱可能に接続可能な端末である。携帯情報端末２は、起動指示により起動可能な端末である。例えば、携帯情報端末２は、起動装置１と接続され、起動装置１からの起動指示に応じて起動する。例えば、携帯情報端末２は、電源が投入されていない状態等の起動されていない状態においては、メールや電話等のコミュニケーション情報が受信できない装置、あるいは、受信できないように設定可能な装置であるとする。例えば、携帯情報端末２は、起動されていない状態においてメールや電話等のコミュニケーション情報を受信しないことで、省電力化を図ることができる装置である。
【００５５】
端末側接続端子２００は、起動装置１の出力端子１０１と着脱可能に接続される端子である。端末側接続端子２００は、例えば、音声信号を出力端子１０１に出力する端子である。また、端末側接続端子２００は、例えば、出力端子１０１を介して起動指示出力部１０３が出力する起動指示を受け付ける端子である。
【００５６】
端末側接続端子２００の形状等は問わない。端末側接続端子２００の形状は、例えば、出力端子１０１の形状に対応した形状である。例えば、端末側接続端子２００は、例えば、出力端子１０１の形状に嵌合する形状を有している。例えば、出力端子１０１が、プラグ等の凸型端子である場合、端末側接続端子２００は、このプラグを挿入可能なジャックやソケット等の凹型の端子である。また、例えば、出力端子１０１が、ジャックやソケット等の凹型の端子である場合、端末側接続端子２００は、この凹型端子に挿入可能なプラグ等の凸型端子である。
【００５７】
端末側接続端子２００は、例えば、多くの携帯情報端末２が有している外部接続端子の一つであるイヤホンジャックである。このイヤホンジャックは、制御用の情報、例えば、起動指示を受け付ける際に利用される端子や、マイク用の端子をさらに備えたジャック、例えば４極のステレオミニプラグに対応するジャックであってもよい。例えば、出力端子１０１が、イヤホンプラグである場合、端末側接続端子２００は、イヤホンジャックであってもよい。例えば、出力端子１０１であるイヤホンプラグを、端末側接続端子２００であるイヤホン用のイヤホンジャックに挿入することで、起動装置１を、携帯情報端末２に直接、着脱可能に接続することができる。
【００５８】
また、端末側接続端子２００は、例えば、多くの携帯情報端末２が有している外部接続端子の一つである充電用のジャックである。充電用のジャックは、充電用の電流を供給するためのジャックである。携帯情報端末２が、ＵＳＢ端子等を介して充電可能なものである場合、このＵＳＢのジャックを、充電用のジャックと考えてもよい。
【００５９】
起動指示受付部２０１は、起動装置１から出力される起動指示を、例えば、端末側接続端子２００を介して受け付ける。ここでの起動指示等の受付は、起動指示等の入力や受信と考えてもよい。
【００６０】
起動部２０２は、起動指示受付部２０１が受け付けた起動指示に応じて、携帯情報端末２の起動を行う。携帯情報端末２の起動とは、例えば、上述したように、メールや電話等のコミュニケーション情報を受信可能な状態とすることである。起動部２０２は、例えば、起動指示に応じて携帯情報端末２に対し電源を投入（オン）する。また、起動部２０２が、例えば、起動指示に応じて携帯情報端末２を待機状態や、休止状態、スリープ状態から解除（復帰）させることも、ここでは起動指示に応じた起動と考えてもよい。例えば、起動部２０２は、携帯情報端末２の待機状態において実行できなかったメールや電話等のコミュニケーション情報を受信する処理を実行可能となるようにする。また、例えば、起動部２０２は、携帯情報端末２の待機状態において利用できなかった一部の機能のうちの少なくとも一以上の機能を、利用可能となるようにする。例えば、起動部２０２は、停止状態（オフ状態）にあるキーやボタンやタッチパネル等のユーザが操作する入力デバイスや、加速度センサ、ジャイロセンサ、ＧＰＳ通信モジュール、モニタ等の、携帯情報端末２が有している電子デバイスに対し、起動指示に応じて電力を供給する。また、ここでの起動とは、携帯情報端末２を起動以外の操作が不可である状態から、操作可能な状態とすることと考えてもよい。
【００６１】
起動部２０２は、例えば、図示しない電力を供給する電源や、その電力供給を制御部（図示せず）等に、電力供給を行う指示や制御信号等を送信することにより、携帯情報端末２の起動を行ってもよい。起動部２０２は、例えば、上述したような携帯情報端末２を構成する２以上の各電子デバイスやモジュール等を、予め指定された順番で起動させるようにしてもよい。
【００６２】
処理実行部２０３は、予め指定された処理を実行する。例えば、操作受付部２０４が受け付けた操作に応じた処理を実行する。例えば、処理実行部２０３は、メールや電話等のコミュニケーション情報を受信する処理を実行する。電話の場合、処理実行部２０３は、着信情報である呼出情報に応じて呼出音等を出力部２０５等に出力させる処理を実行してもよい。また、電話の場合、コミュニケーション情報である通話の情報を、出力部２０５等から出力させる処理や、通話の情報を図示しない受付部等から受け付けて、図示しない送信部から通話先に送信する処理等を実行してもよい。また、処理実行部２０３は、例えば、図示しない記憶媒体等に格納されているアプリケーションプログラム等を、操作受付部２０４が受け付けた操作に応じて実行する。
【００６３】
処理実行部２０３は、通常、ＭＰＵやメモリ等から実現され得る。処理実行部２０３の処理手順は、通常、ソフトウェアで実現され、当該ソフトウェアはＲＯＭ等の記録媒体に記録されている。但し、ハードウェア（専用回路）で実現しても良い。
【００６４】
操作受付部２０４は、ユーザが入力する操作を受け付ける。操作受付部２０４は、例えば、操作を、図示しないテンキーやキーボードやタッチパネル等の入力デバイスを介して受け付ける。操作受付部２０４は、これらの入力手段のデバイスドライバーや、メニュー画面の制御ソフトウェア等で実現され得る。
【００６５】
出力部２０５は、処理実行部２０３が実行した処理結果等を出力する。例えば、出力部２０５は、受信したメールを表示したり、電話の呼出音を出力したりする。ここでの出力とは、ディスプレイへの表示、音出力、外部の装置への送信、記録媒体への蓄積、他の処理装置や他のプログラム等への処理結果の引渡し等を含む概念である。
【００６６】
出力部２０５は、ディスプレイやプリンタ等の出力デバイスを含むと考えても含まないと考えても良い。出力部２０５は、出力デバイスのドライバーソフトまたは、出力デバイスのドライバーソフトと出力デバイス等で実現され得る。
【００６７】
なお、図示していないが、携帯情報端末２は、コミュニケーション情報を送信する送信部や受信部、音声等のコミュニケーション情報をを受け付ける受付部、加速度センサ、ジャイロセンサ、ＧＰＳ通信モジュール等の電子デバイスやモジュールや、モニタ等を有していてもよい。また、上述した処理実行部２０３は、これらのデバイス等が出力する情報等を利用して、処理を実行してもよい。また、携帯情報端末２が、音声情報等の情報を送受信するアンテナや送受信部等（図示せず）を備えていても良いことはいうまでもない。
【００６８】
次に、起動装置１の動作の一例について説明する。起動装置１の着信受信部１０２は、着信情報を受信したか否かを判断する処理を繰り返し行う。着信受信部１０２が着信情報を受信した場合、起動指示出力部１０３は、起動指示を出力端子１０１から携帯情報端末２に送信する。そして、処理を終了する。
【００６９】
以下、本実施の形態における起動装置１の具体的な動作について説明する。
図２は、本実施の形態における起動装置と、この起動装置に接続される携帯情報端末の一例の外観を示す図（図２（ａ））、及び携帯情報端末と接続された起動装置の一例を説明するための図（図２（ｂ））である。ここでは、起動装置１の出力端子１０１がイヤホンプラグである場合を例に挙げて説明する。また、携帯情報端末２がイヤホンジャックを備えた多機能携帯電話であるスマートフォンである場合を例に挙げて説明する。
【００７０】
（１）メールの場合
ここでは、まず、コミュニケーション情報がメールである場合について一例を挙げて説明する。
【００７１】
例えば、図２（ｂ）に示すように、起動装置１の出力端子１０１であるイヤホンプラグが、携帯情報端末２の端末側接続端子２００であるイヤホンジャックと接続されており、携帯情報端末２の電源がオフであり、起動装置１が起動している状態であるとする。また、ここでは、例えば、携帯情報端末２のメールアドレスと同じメールアドレス、例えば、「ａｂｃｄｅｆｇ＠ｈｉｊｋ…．ｃｏｍ」等が、起動装置１のメールアドレスとして設定されているものとする。
【００７２】
携帯情報端末２のメールアドレスに、図示しない外部の装置等からメールが送信されたとする。送信されたメールは、携帯情報端末２のメールアドレスに対応した図示しないメールサーバに送信される。メールサーバは、受信したメールを、このメールアドレスに対応する装置、ここでは、起動装置１と、携帯情報端末２とにプッシュ送信する。プッシュ送信については、公知の技術であるので、ここでは詳細な説明は省略する。携帯情報端末２は、電源がオフであり、メールを受信できない状態であるので、メールを受信しない。一方、起動装置１は起動しているため、着信受信部１０２が、携帯情報端末２宛のメールを着信情報として受信する。
【００７３】
着信受信部１０２が着信情報を受信したため、起動指示出力部１０３は、出力端子１０１を介して、携帯情報端末２に起動指示を出力する。
【００７４】
携帯情報端末２の起動指示受付部２０１は、端末側接続端子２００を介して、出力端子１０１から出力される起動指示を受け付ける。起動部２０２は、起動指示受付部２０１が受け付けた起動指示に応じて、携帯情報端末２を起動する。例えば、携帯情報端末２に電源を投入する。電源が投入されると、処理実行部２０３は、図示しない送信部等から、上述したメールサーバに対して、未受信のメールの送信を要求する情報を送信する。メールサーバは、起動装置１に送信したメールと同じメールを携帯情報端末２に送信する。携帯情報端末２は、図示しない受信部等によりメールを受信する。これにより、携帯情報端末２の電源がオフの状態においてメールサーバが携帯情報端末２を送信先としたメールを受信した場合に、携帯情報端末２を起動させて、メールを受信させることができる。
【００７５】
（２）電話の場合
次に、コミュニケーション情報が電話の音声情報等である場合について一例を挙げて説明する。
【００７６】
例えば、図２（ｂ）に示すように、起動装置１の出力端子１０１であるイヤホンプラグが、携帯情報端末２の端末側接続端子２００であるイヤホンジャックと接続されており、携帯情報端末２の電源がオフであり、起動装置１が起動している状態であるとする。また、ここでは、例えば、携帯情報端末２の電話番号と同じ電話番号、例えば、「０９０−１２３４−５…」等が、起動装置１の電話番号として設定されているものとする。
【００７７】
携帯情報端末２の電話番号に、図示しない外部の装置等から通話を要求する情報が電話回線に対して送信されたとする。携帯電話の基地局（図示せず）は、この通話を要求する情報が示す電話番号の装置であって、現在起動している装置に対して、呼出情報を送信する。携帯情報端末２は起動していないため、呼出情報を受信しない。一方、起動装置１は起動しているため、着信受信部１０２が着信情報として呼出情報を受信する。
【００７８】
着信受信部１０２が着信情報を受信したため、起動指示出力部１０３は、出力端子１０１を介して、携帯情報端末２に起動指示を出力する。
【００７９】
携帯情報端末２の起動指示受付部２０１は、端末側接続端子２００を介して、出力端子１０１から出力される起動指示を受け付ける。起動部２０２は、起動指示受付部２０１が受け付けた起動指示に応じて、携帯情報端末２を起動する。例えば、携帯情報端末２に電源を投入する。
【００８０】
携帯電話の基地局は、呼出情報の送信中にも、起動している装置の検出を行っており、新たに、通話を要求する情報が示す電話番号の装置として携帯情報端末２が検出されたため、この携帯情報端末２に対しても呼出情報を送信する。
【００８１】
処理実行部２０３は、図示しない送信部等を介して、呼出情報を受信し、出力部２０５から呼出音を出力する。そして、ユーザが、操作受付部２０４を操作して、呼出情報に応答する操作を行うと、図示しない送信部から、呼出情報に応答する情報が携帯電話の基地局に送信され、基地局により、通話の要求元となる装置と、携帯情報端末２とが通話可能な状態に設定される。これにより、コミュニケーション情報である電話の音声情報等の送受信が可能となる。これにより、携帯情報端末２の電源がオフの状態において携帯情報端末２に対する通話を要求する情報を受け付けた場合に、起動装置１が、携帯情報端末２を起動させて、電話の呼出を行わせることができ、通話を可能とすることができる。
【００８２】
以上のように、本実施の形態によれば、携帯情報端末２の電源をオフにした状態において、携帯情報端末２に送信されるコミュニケーション情報に関する着信情報を着信受信部１０２が受信した場合に、起動指示出力部１０３が起動指示を携帯情報端末２に出力する要にしたことにより、着信情報の受信により携帯情報端末２を起動させて、コミュニケーション情報を受信可能な状態とすることができ、電源オフ時におけるメールや電話等のコミュニケーション情報の受信を待ち受けるための処理を行わないようにして、携帯情報端末の電力消費を抑えつつ、外部から携帯情報端末に送信されるコミュニケーションのための情報を、携帯情報端末に適切に着信させるようにすることができる。
【００８３】
なお、上記の具体例においては、出力端子１０１がイヤホンプラグ、端末側接続端子２００がイヤホンジャックである場合を例に挙げて説明したが、本発明においては、出力端子１０１が充電用のプラグ、端末側接続端子２００がこの充電用のプラグに嵌合する充電用のジャックである場合においても適用可能であり、このような場合においても、上記の具体例と同様の効果を奏する。
【００８４】
また、上記実施の形態において、起動装置１を、携帯情報端末２を載置可能なクレイドルとし、出力端子１０１を、このクレイドルの充電用のプラグ、端末側接続端子２００が、携帯情報端末２をクレイドルに載置した場合に、クレイドルの充電用のプラグに嵌めあわされる携帯情報端末２の充電用のジャックとしてもよい。
【００８５】
図３は、本実施の形態の起動装置の変形例を説明するための、起動装置と携帯情報端末とを接続する前の状態を示す図（図３（ａ））及び、接続した後の状態を示す図（図３（ｂ））である。この起動装置１ａは、上記実施の形態に示した起動装置１において、出力端子１０１と電気的に接続された入力端子１０４を設けたものである。
【００８６】
入力端子１０４は、出力端子１０１と電気的に接続された端子である。入力端子１０４は、例えば、他の１以上の端子と、着脱可能となるよう接続される端子である。例えば、入力端子１０４は、出力端子１０１が接続される携帯情報端末２の端末側接続端子２００に対して本来接続される端子（コネクタ）が、着脱可能となるよう接続されるコネクタである。入力端子１０４は、どのような仕様や用途の端子であってもよい。入力端子１０４としては、例えば、上述したような出力端子１０１や、端末側接続端子２００として利用可能な端子と同様の種類の端子が利用可能である。また、入力端子１０４の形状等は問わない。入力端子１０４としては、例えば、上述したような携帯情報端末２の端末側接続端子２００と同様のイヤホンジャックや、充電用ジャックや、データ入出力用のジャック等が用いられる。なお、図３においては、入力端子が、イヤホンジャックである場合を例に挙げて説明している。
【００８７】
入力端子１０４が出力端子１０１と電気的に接続されているということは、例えば、出力端子１０１に入力された電流や電気信号が、入力端子１０４から出力される状態であることや、入力端子１０４に入力された電流や電気信号が、出力端子１０１から出力される状態であることを意味すると考えてもよい。入力端子１０４と出力端子１０１とは、例えば、電線や信号線等を介して接続される。入力端子１０４と、出力端子１０１とは、電線や信号線等を介して直接接続されていてもよいし、電気回路や、電子回路や、抵抗等の電気部品や、電子部品等を介して接続されていてもよい。
【００８８】
このような変形例によれば、例えば、起動装置１ａの出力端子１０１と、携帯情報端末２の端末側接続端子２００とが接続されている場合、携帯情報端末２の端末側接続端子２００に接続する必要がある端子等を、入力端子１０４に接続することにより、起動装置１ａの接続を外すことなく、即ち、起動装置１ａを携帯情報端末２から取り外すことなく、端末側接続端子２００に電気的に接続させることができる。例えば、図３（ｂ）においては、イヤホン（図示せず）のイヤホンプラグ（図示せず）等を出漁端子１０１に挿入することで、起動装置１ａを携帯情報端末２から取り外すことなく、イヤホンを、携帯情報端末２に接続することができる。このようにして、起動装置１ａを接続した場合においても、携帯情報端末２の端末接続端子２００を容易に利用することができ、利便性を向上させることができる。
【００８９】
なお、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【００９０】
本発明は、以上の実施の形態に限定されることなく、種々の変更が可能であり、それらも本発明の範囲内に包含されるものであることは言うまでもない。
【産業上の利用可能性】
【００９１】
以上のように、本発明にかかる起動装置は、携帯情報端末装置を起動する装置等として適しており、特に、メールや電話等のコミュニケーション情報を受信する際に携帯情報端末装置を起動する装置等として有用である。
【符号の説明】
【００９２】
１、１ａ  起動装置
２  携帯情報端末
１０１  出力端子
１０２  着信受信部
１０３  起動指示出力部
１０４  入力端子
２００  端末側接続端子
２０１  起動指示受付部
２０２  起動部
２０３  処理実行部
２０４  操作受付部
２０５  出力部
【図１】
2015100076.tif 000003
【図２】
2015100076.tif 000004
【図３】
2015100076.tif 000005